(57)【要約】【課題】耐衝撃性を向上させた、安価な板バネおよびレンズ駆動装置を提供すること。【解決手段】円環状の内周側端部２２１と、この内周側端部から離間して設けられ、内周側端部よりも半径の大きな外周側端部２２２と、内周側端部と外周側端部との間を連結するために周方向に沿って設けられたＮ個のアーム部２２３と、内周側端部から半径方向外側に突設して内周側端部とＮ個のアーム部とを連結するＮ個の内周側連結部２２４と、外周側端部から半径方向内側に突設して外周側端部とＮ個のアーム部とを連結するＮ個の外周側連結部２２５と、を有する板バネ２２において、アーム部２２３の内周側根本部２２３ａの板幅ａ及び外周側根本部２２３ｂの板幅ｂの少なくとも一方が、アーム部２２３の長手方向中央部２２３ｃの板幅ｃよりも広い。【選択図】      図３
2009210055.tif 000002
【特許請求の範囲】
【請求項１】
円環状の内周側端部と、該内周側端部から離間して設けられ、前記内周側端部よりも半径の大きな外周側端部と、前記内周側端部と前記外周側端部との間を連結するために周方向に沿って設けられたＮ個（Ｎは２以上の整数）のアーム部と、前記内周側端部から半径方向外側に突設して前記内周側端部と前記Ｎ個のアーム部とを連結するＮ個の内周側連結部と、前記外周側端部から半径方向内側に突設して前記外周側端部と前記Ｎ個のアーム部とを連結するＮ個の外周側連結部と、を有する板バネにおいて、
前記アーム部の内周側根本部の板幅及び外周側根本部の板幅の少なくとも一方が、前記アーム部の長手方向中央部の板幅よりも広いことを特徴とする板バネ。
【請求項２】
前記Ｎが３に等しい、請求項１に記載の板バネ。
【請求項３】
前記アーム部の内周側根本部の板幅及び外周側根本部の板幅の両方が、前記アーム部の長手方向中央部の板幅よりも広いことを特徴とする請求項１又は２に記載の板バネ。
【請求項４】
前記アーム部の内周側根本部の板幅が、前記アーム部の長手方向中央部の板幅よりも広いことを特徴とする請求項１又は２に記載の板バネ。
【請求項５】
前記アーム部の外周側根本部の板幅が、前記アーム部の長手方向中央部の板幅よりも広いことを特徴とする請求項１又は２に記載の板バネ。
【請求項６】
レンズアセンブリを保持するための筒状部を有するレンズホルダと、該レンズホルダに前記筒状部の周囲に位置するように固定された駆動コイルと、該駆動コイルと対向する永久磁石を備えたヨークと、前記レンズホルダの筒状部の光軸方向両側に設けられ、前記レンズホルダを径方向に位置決めした状態で光軸方向に変位可能に支持する一対の板バネとを備え、前記一対の板バネの各々は、前記レンズホルダに取り付けられた内周側端部と前記ヨークに取り付けられた外周側端部とを有し、前記駆動コイルに通電することで、前記永久磁石の磁界と前記駆動コイルに流れる電流による磁界との相互作用によって、前記レンズホルダを光軸方向に位置調整可能なレンズ駆動装置において、
前記一対の板バネの各々は、請求項１乃至５の何れか１つに記載の板バネから成ることを特徴とするレンズ駆動装置。
【発明の詳細な説明】
【技術分野】
【０００１】
本発明はレンズ駆動装置に関し、特に、レンズアセンブリ（バレル）を保持するレンズホルダの筒状部の光軸方向両側に設けられ、レンズホルダを径方向に位置決めした状態で光軸方向に変位可能に支持する一対の板バネの構造に関する。
【背景技術】
【０００２】
カメラ付携帯電話には携帯型小型カメラが搭載されている。この携帯型小型カメラには、オートフォーカス用レンズ駆動装置が用いられる。従来から、種々のオートフォーカス用レンズ駆動装置が提案されている。
【０００３】
例えば、特許文献１（特開２００５−１２８３９２号公報）には、光軸方向の上下（前後）でレンズ支持体（レンズホルダ）に上側板バネ（前側スプリング）と下側板バネ（後側スプリング）とを取り付けて、駆動コイルに通電して生じる電磁力によりレンズ支持体（レンズホルダ）をレンズアセンブリ（バレル）の光軸方向に移動するレンズ駆動装置が開示されている。
【０００４】
上側板バネ（前側スプリング）と下側板バネ（後側スプリング）とは互いに略同一形状である。したがって、以下では、上側板バネ（前側スプリング）と下側板バネ（後側スプリング）とを纏めて、単に、板バネ（スプリング）と呼ぶことにする。
【０００５】
図４に従来の板バネ（スプリング）４０を示す。図４において、（Ａ）は板バネ（スプリング）４０の平面図であり、（Ｂ）は図４（Ａ）の楕円で囲んだ部分を拡大して示す部分拡大図である。
【０００６】
従来の板バネ（スプリング）４０は、各々円環状に形成された内周側端部（内環）４１および外周側端部（外環）４２と、これらの間を連結するために周方向に沿って設けられた３つの腕部（アーム部）４３とから構成されている。各腕部（アーム部）４３は周方向に沿って延出している。内周側端部４１と腕部（アーム部）４３との間の内周側連結部４４は、内周側端部４１から半径方向外側に突設している。外周側端部４２と腕部（アーム部）４３との間の外周側連結部４５は、外周側端部４２から半径方向内側に突設している。各腕部（アーム部）４３は、周方向に沿って略同一の幅を持っている。
【０００７】
また、特許文献２（特開２００６−２０１５２５公報）は、前側及び後側スプリングに作用する種々の方向のストレスを軽減することにより揺れや耐衝撃性に優れたレンズ駆動装置を開示している。
【０００８】
特許文献２に開示されたレンズ駆動装置において、レンズ支持体（レンズホルダ）の光軸方向前後にそれぞれ取り付けられた前側スプリング及び後側スプリングの各々は、平面視円環状の板バネである。板バネは、円環状を成す内周側端部と、この内周側端部よりも半径の大きな円環状を成す外周側端部と、内周側端部と外周側端部との間に設けた３つの腕部とから成る。各腕部は、互いに半径の異なる径で周方向に沿って設けた複数の周囲部と、内周側端部との内周側連結部と、外周側端部との外周側連結部と、を有する。各周囲部の端部が湾曲状の繋部で繋いであり、かつ各連結部が湾曲状としてある。
【０００９】
特許文献３（特開２００５−２５８３５５公報）は、落下による特性変化がなく線形のたわみ特性を発揮し得る板バネ（スプリング）を開示している。特許文献３に開示された板バネは、内周リング部（内周側端部）と、この内周リング部と離間して設けられた外周リング部（外周側端部）と、内周リング部と外周リング部まで延びる少なくとも一個の円弧状アーム部（腕部）とを有する。内周リング部と外周リング部とは円弧状アーム部によって弾性的に板面の法線方向に伸縮する。内周リング部又は外周リング部の少なくとも一方に、円弧状アーム部を支持し、板面の法線方向と直交する方向の外力に対して弾性変形して円弧状アーム部を該外力の方向に撓ませるアーム内周支持部が設けられている。
【００１０】
特許文献４（特開２００７−７２２７２号公報）は、レンズを保持するレンズホルダを弾性支持する板バネに作用する曲げモーメントを緩和して上記板バネの塑性変形を防止し、レンズ駆動装置の光軸ズレを抑制することのできるレンズ駆動装置を開示している。
【００１１】
この特許文献４に開示された板バネは、固定部材に固定される外周側固定環部と、ホルダに固定される内周側固定環部と、外周側固定環部から径方向内側に突出する外側突出片と、内周側固定環部から径方向外側に突出する内側突出片と、外側突出片と内側突出片とを連結する連結片（アーム部）とから構成される。連結片（アーム部）は、周方向に延出しており、略同一の幅を持っている。連結片の少なくとも一部が厚み方向に曲げ加工されている。
【００１２】
【特許文献１】特開２００５−１２８３９２号公報（図１、図２、図３）
【特許文献２】特開２００６−２０１５２５号公報（図１）
【特許文献３】特開２００５−２５８３５５号公報（図１）
【特許文献４】特開２００７−７２２７２号公報（図２、図３）
【発明の開示】
【発明が解決しようとする課題】
【００１３】
特許文献１に開示されているような、図４に示した従来の板バネ（スプリング）４０では、腕部（アーム部）４３の内周側根本部４３ａおよび外周側根本部４３ｂの板幅と、腕部（アーム部）４３の長手方向中央部４３ｃの板幅とが実質的に同じになっている。その為、外部からの衝撃（例えば、落下など）で通常動作以上の負荷が板バネ４０に掛かると、曲げ応力が板バネ４０の腕部（アーム部）４３の付け根（根本部）４３ａ、４３ｂに集中してしまう。その結果、板バネ４０が塑性変形を起こしたり、板バネ４０の内部に曲げ応力が残留するなどして、レンズ駆動装置の動作特性が変化しやすいという問題がある。
【００１４】
特許文献２に開示された前側及び後側スプリングは、構造が複雑で、製造するのが難しく、高価になるという問題がある。
【００１５】
特許文献３に開示された板バネは、特許文献１と同様に、アーム部の板幅が周方向に沿って略同一なので、図４に示した従来のスプリング（板バネ）４０と同様の問題がある。
【００１６】
特許文献４に開示された板バネでは、連結片（アーム部）に厚み方向に曲げ加工を施さなければならないので、製造するのが難しく、高価になるという問題がある。
【００１７】
本発明の課題は、耐衝撃性を向上させた、安価な板バネおよびレンズ駆動装置を提供することにある。
【００１８】
本発明の他の目的は、説明が進むにつれて明らかになるだろう。
【課題を解決するための手段】
【００１９】
本発明によれば、円環状の内周側端部（２２１）と、この内周側端部から離間して設けられ、内周側端部よりも半径の大きな外周側端部（２２２）と、内周側端部と外周側端部との間を連結するために周方向に沿って設けられたＮ個（Ｎは２以上の整数）のアーム部（２２３）と、内周側端部から半径方向外側に突設して内周側端部とＮ個のアーム部とを連結するＮ個の内周側連結部（２２４）と、外周側端部から半径方向内側に突設して外周側端部とＮ個のアーム部とを連結するＮ個の外周側連結部（２２５）と、を有する板バネ（２２）において、アーム部（２２３）の内周側根本部（２２３ａ）の板幅（ａ）及び外周側根本部（２２３ｂ）の板幅（ｂ）の少なくとも一方が、アーム部（２２３）の長手方向中央部（２２３ｃ）の板幅（ｃ）よりも広いことを特徴とする板バネ（２２）が得られる。
【００２０】
上記本発明による板バネ（２２）において、Ｎは例えば３であってよい。アーム部（２２３）の内周側根本部（２２３ａ）の板幅（ａ）及び外周側根本部（２２３ｂ）の板幅（ｂ）の両方が、アーム部（２２３）の長手方向中央部（２２３ｃ）の板幅（ｃ）よりも広くてよい。又は、アーム部（２２３）の内周側根本部（２２３ｂ）の板幅（ｂ）が、アーム部（２２３）の長手方向中央部（２２３ｃ）の板幅（ｃ）よりも広くてよい。或いは、アーム部（２２３）の外周側根本部（２２３ｂ）の板幅（ｂ）が、アーム部（２２３）の長手方向中央部（２２３ｃ）の板幅（ｃ）よりも広くてよい。
【００２１】
また、本発明によれば、レンズアセンブリを保持するための筒状部（１４０）を有するレンズホルダ（１４０）と、このレンズホルダに筒状部の周囲に位置するように固定された駆動コイル（１６）と、この駆動コイルと対向する永久磁石（１８）を備えたヨーク（２０）と、レンズホルダの筒状部の光軸（Ｏ方向両側に設けられ、レンズホルダを径方向に位置決めした状態で光軸（Ｏ）方向に変位可能に支持する一対の板バネ（２２，２４）とを備え、一対の板バネ（２２、２４）の各々は、レンズホルダに取り付けられた内周側端部（２２１；２４１）とヨークに取り付けられた外周側端部（２２２）とを有し、駆動コイル（１６）に通電することで、永久磁石（１８）の磁界と駆動コイル（１６）に流れる電流による磁界との相互作用によって、レンズホルダ（１４）を光軸（Ｏ）方向に位置調整可能なレンズ駆動装置（１０）において、一対の板バネ（２２，２４）の各々は、上記板バネから成ることを特徴とするレンズ駆動装置（１０）が得られる。
【００２２】
尚、上記括弧内の参照符号は、理解を容易にするために付したものであり、一例に過ぎず、これらに限定されないのは勿論である。
【発明の効果】
【００２３】
本発明では、アーム部の内周側根本部の板幅及び外周側根本部の板幅の少なくとも一方が、アーム部の長手方向中央部の板幅よりも広くなっているので、アーム部の根本部に曲げ応力が集中するのを軽減でき、板バネおよびレンズ駆動装置の耐衝撃性を向上させることができる。また、構造が複雑でないので、安価な板バネおよびレンズ駆動装置を提供できる。
【発明を実施するための最良の形態】
【００２４】
以下、図面を参照して、本発明の実施の形態について説明する。
【００２５】
図１及び図２を参照して、本発明の一実施の形態によるレンズ駆動装置１０について説明する。図１はレンズ駆動装置１０の外観斜視図であり、図２はレンズ駆動装置１０の分解斜視図である。ここでは、図１及び図２に示されるように、直交座標系（Ｘ，Ｙ，Ｚ）を使用している。図１及び図２に図示した状態では、直交座標系（Ｘ，Ｙ，Ｚ）において、Ｘ軸は前後方向（奥行方向）であり、Ｙ軸は左右方向（幅方向）であり、Ｚ軸は上下方向（高さ方向）である。そして、図１乃至図３に示す例においては、上下方向Ｚがレンズの光軸Ｏ方向である。
【００２６】
但し、実際の使用状況においては、光軸Ｏ方向、すなわち、Ｚ軸方向が前後方向となる。換言すれば、Ｚ軸の上方向が前方向となり、Ｚ軸の下方向が後方向となる。
【００２７】
図示のレンズ駆動装置１０は、オートフォーカス可能なカメラ付き携帯電話に備えられる。レンズ駆動装置１０は、レンズアセンブリ（バレル）（図示せず）を光軸Ｏ方向に移動させるためのものである。レンズ駆動装置１０は、Ｚ軸方向（光軸Ｏ方向）の下側（後側）に配置されたアクチュエータ・ベース１２を有する。このアクチュエータ・ベース１２の下部（後部）には、図示はしないが、基板に配置された撮像素子が搭載される。この撮像素子は、レンズアセンブリにより結像された被写体像を撮像して電気信号に変換する。撮像素子は、例えば、ＣＣＤ（charge coupled device）型イメージセンサ、ＣＭＯＳ（complementary metal oxide semiconductor）型イメージセンサ等により構成される。したがって、レンズ駆動装置１０と、基板と、撮像素子との組み合わせによって、カメラモジュールが構成される。
【００２８】
レンズ駆動装置１０は、レンズアセンブリ（バレル）を保持するための筒状部１４０を有するレンズホルダ１４と、このレンズホルダ１４に筒状部１４０の周囲に位置するように固定された駆動コイル１６と、この駆動コイル１６と対向する永久磁石１８を備えたヨーク２０と、レンズホルダ１４の筒状部１４０の光軸Ｏ方向両側に設けられた一対の板バネ２２、２４とを備える。一対の板バネ２２、２４は、レンズホルダ１４を径方向に位置決めした状態で光軸Ｏ方向に変位可能に支持する。一対の板バネ２２、２４のうち、一方の板バネ２２は上側板バネと呼ばれ、他方の板バネ２４は下側板バネと呼ばれる。
【００２９】
また、前述したように、実際の使用状況においては、Ｚ軸方向（光軸Ｏ方向）の上方向が前方向、Ｚ軸方向（光軸Ｏ方向）の下方向が後方向となる。したがって、上側板バネ２２は前側スプリングとも呼ばれ、下側板バネ２４は後側スプリングとも呼ばれる。
【００３０】
図２に示されるように、ヨーク２０は八角筒状をしている。すなわち、ヨーク２０は、八角筒形状の外筒部２０２と、この外筒部２０２の上端（前端）に設けられた八角形のリング状端部２０４とを有する。従って、駆動コイル１６も、八角筒状のヨーク２０の形状に合わせた、八角筒状をしている。永久磁石１８は、ヨーク２０の八角筒形状の外筒部２０２の各側辺に配置された、８個の矩形状の永久磁石片１８２から成る。
【００３１】
図２に示されるように、ヨーク２０の外筒部２０２の内周面に、駆動コイル１６と間隔を置いて、永久磁石１８が配置されている。
【００３２】
上側板バネ（前側スプリング）２２はレンズホルダ１４における光軸Ｏ方向上側（前側）に配置され、下側板バネ（後側スプリング）２４はレンズホルダ１４における光軸Ｏ方向下側（後側）に配置される。上側板バネ（前側スプリング）２２と下側板バネ（後側スプリング）２４とは、略同一構成をしている。
【００３３】
上側板バネ（前側スプリング）２２は、レンズホルダ１４に取り付けられた内周側端部２２１と、ヨーク２０に取り付けられた外周側端部２２２と、内周側端部２２１と外周側端部２２２との間を連結するために周方向に沿って設けられた３つの腕部（アーム部）２２３とを有する。内周側端部２２１は円環状をしている。外周側端部２２２は、内周側端部２２１から離間して設けられ、内周側端部２２１よりも大きい半径を持つ。各腕部（アーム部）２２３は周方向に沿って延出している。内周側端部２２１と各腕部（アーム部）２２３との間を連結する内周側連結部２２４は、内周側端部２２１から半径方向外側に突設している。外周側端部２２２と各腕部（アーム部）２２３との間を連結する外周側連結部２２５は、外周側端部２２２から半径方向内側に突設している。尚、腕部（アーム部）２２３の板幅については、後で図面を参照して詳細に説明する。
【００３４】
同様に、下側板バネ（後側スプリング）２４は、レンズホルダ１４に取り付けられた内周側端部２４１と、ヨーク２０に取り付けられた外周側端部（図示せず）と、内周側端部２４１と外周側端部との間を連結するために周方向に沿って設けられた３つの腕部（アーム部）２４３とを有する。内周側端部２４１は円環状をしている。外周側端部は、内周側端部２４１から離間して設けられ、内周側端部２４１よりも大きな半径を持つ。各腕部（アーム部）２４３は周方向に沿って延出している。内周側端部２４１と各腕部（アーム部）２４３との間を連結する内周側連結部２４４は、内周側端部２４１から半径方向外側に突設している。外周側端部と各腕部（アーム部）２４３との間を連結する外周側連結部２４５は、外周側端部から半径方向内側に突設している。
【００３５】
尚、内周側端部は内輪とも呼ばれ、外周側端部は外輪とも呼ばれる。
【００３６】
上側板バネ（前側スプリング）２２の内周側端部２２１は、レンズホルダ１４とストッパ２６に挟持されて固定されている。換言すれば、ストッパ２６は、上側板バネ（前側スプリング）２２の内周側端部２２１を、レンズホルダ１４との間で挟持するように、レンズホルダ１４と嵌合する。一方、上側板バネ（前側スプリング）２２の外周側端部２２２は、ヨーク２０とカバー２８との間に挟持され固定されている。
【００３７】
ストッパ２６には、次に述べるような機能がある。すなわち、ストッパ２６は、上側板バネ（前側スプリング）２２の内周側端部２２２をレンズホルダ１４にバラツキなく高精度に密着させる機能を持つ。これにより、ＶＣＭ（ボイス・コイル・モータ）特性のバラツキを改善できる。また、ストッパ２６は、上側板バネ（前側スプリング）２２の接着強度を向上させる機能をもつ。これにより、レンズ駆動装置１０の耐衝撃性を向上させている。さらに、ストッパ２６は、レンズ駆動装置１０の落下衝撃の際の上側板バネ（前側スプリング）２２の変形を防止する機能を持つ。これによっても、レンズ駆動装置１０の耐衝撃性を向上させている。また、ストッパ２６は、レンズ駆動装置１０の機械的ストロークを決める機能を持つ。
【００３８】
尚、後述するように、本実施の形態では、このストッパ２６には、レンズホルダ１４の回転防止機能も付加されている。
【００３９】
一方、下側板バネ（後側スプリング）２４の外周側端部は、スペーサ３０を介してヨーク２０に固定されている。換言すれば、スペーサ３０と下側板バネ（後側スプリング）２４の外周側端部とは、ヨーク２０とアクチュエータ・ベース１２との間に挟持されて固定されている。下側板バネ（後側スプリング）２４の内周側端部２４１は、レンズホルダ１４の下端（後端）側に固定されている。
【００４０】
レンズホルダ１４の筒状部１４０の内周壁には雌ネジ１４２が切られている。一方、図示しないが、レンズアセンブリ（バレル）の外周壁には、上記雌ネジ１４２に螺合される雄ネジが切られている。従って、レンズアセンブリ（バレル）をレンズホルダ１４に装着するには、レンズアセンブリ（バレル）をレンズホルダ１４の筒状部１４０に対して光軸Ｏ周りに回転して光軸Ｏ方向に沿って螺合することにより、レンズアセンブリ（バレル）をレンズホルダ１４内に収容し、接着剤なとによって互いに接合する。
【００４１】
この際、レンズホルダ１４が一緒に回転しまう恐れがあるが、後述するように、レンズホルダ１４が回転するのは完全に防止される。
【００４２】
駆動コイル１６に通電することで、永久磁石１８の磁界と駆動コイル１６に流れる電流による磁界との相互作用によって、レンズホルダ１４（レンズアセンブリ）を光軸Ｏ方向に位置調整することが可能である。
【００４３】
下側板バネ（後側スプリング）２４とアクチュエータ・ベース１２との間には、シート状電極３２が配置されている。このシート状電極３２は、駆動コイル１６に電力を供給するためのものである。
【００４４】
図示の実施の形態では、ストッパ２６は、光軸Ｏに対して１８０°だけ回転させた２回回転対称な位置に設けられた２つのコ字形状の回転防止押え部２６２を持つ。これらコ字形状の回転防止押え部２６２は、レンズアセンブリをレンズホルダ１４の筒状部１４０に装着する際に、レンズホルダ１４が回転するのを完全に防止する回転防止部材として働く。すなわち、レンズアセンブリのレンズホルダ１４の筒状部１４０への装着時に、２つのコ字形状の回転防止押え部２６２に治具（図示せず）を差し込み保持することで、レンズホルダ１４が回転するのを完全に防止する。この際、ストッパ１６とカバー２８との間のクリアランスは確保（保持）される。
【００４５】
次に、図３を参照して、上側板バネ（前側スプリング）２２の構成を構成する腕部（アーム部）２４３の板幅について詳細に説明する。図３において、（Ａ）は上側板バネ（前側スプリング）２２の平面図であり、（Ｂ）は図３（Ａ）中の円で囲んだ部分を拡大した部分拡大図である。尚、下側板バネ（後側スプリング）２４を構成する腕部（アーム部）２４３の板幅も、腕部（アーム部）２４３の板幅と同様なので、その説明については省略する。
【００４６】
図３（Ｂ）に示されるように、腕部（アーム部）２２３の内周側根本部２２３ａの板幅をａ、腕部（アーム部）２２３の外周側根本部２２３ｂの板幅をｂと、腕部（アーム部）２２３の長手方向中央部２２３ｃの板幅をｃで表すとする。図３（Ｂ）から明らかなように、内周側根本部２２３ａの板幅ａおよび外周側根本部２２３ｂの板幅ｂは、長手方向中央部２２３ｃの板幅ｃより広くなっている。すなわち、ａ＞ｃかつｂ＞ｃとなっている。
【００４７】
これにより、腕部（アーム部）２２３の付け根（根本部）２２３ａ、２２３ｂのばね特性がかたく作用するので、腕部（アーム部）２２３の付け根（根本部）２２３ａ、２２３ｂに集中する曲げ応力を分散することができる。換言すれば、腕部（アーム部）２２３の付け根（根本部）２２３ａ、２２３ｂに曲げ応力が集中するのを軽減することができる。これにより、上側板バネ２２および下側板バネ２４およびレンズ駆動装置１０の耐衝撃性を向上することができる。また、上側板バネ２２および下側板バネ２４の構造は複雑でないので、安価な板バネおよびレンズ駆動装置１０を提供できる。
【００４８】
以上、本発明についてその好ましい実施の形態によって説明してきたが、本発明の精神を逸脱しない範囲内で、種々の変形が当業者によって可能であるのは明らかである。例えば、上述した実施の形態では、アーム部２２３の内周側根本部２２３ａの板幅ａ及び外周側根本部２２３ｂの板幅ｂの両方が、アーム部２２３の長手方向中央部２２３ｃの板幅ｃよりも広くなっている（ａ＞ｃかつｂ＞ｃ）が、アーム部２２３の内周側根本部２２３ａの板幅ａ及び外周側根本部２２３ｂの板幅ｂの少なくとも一方が、アーム部２２３の長手方向中央部２２３ｃの板幅ｃよりも広くなっていてもよい。例えば、アーム部２２３の内周側根本部２２３ａの板幅ａが、アーム部２２３の長手方向中央部２２３ｃの板幅ｃよりも広くなっていて（ａ＞ｃ）もよいし、或いは、アーム部２２３の外周側根本部２２３ｂの板幅ｂが、アーム部２２３の長手方向中央部２２３ｃの板幅ｃよりも広くなっていて（ｂ＞ｃ）もよい。また、上述した実施の形態では、内周側端部２２１と外周側端部２２との間を３個のアーム部２２３で連結しているが、一般には、内周側端部２２１と外周側端部２２２との間をＮ個（Ｎは２以上の整数）のアーム部で連結する板バネにも適用可能である。
【図面の簡単な説明】
【００４９】
【図１】本発明の一実施の形態によるレンズ駆動装置の外観斜視図である。
【図２】図１に示したレンズ駆動装置の分解斜視図である。
【図３】図２に示したレンズ駆動装置に使用される板バネを示す平面図（Ａ）と部分拡大図（Ｂ）である。
【図４】従来の板バネを示す平面図（Ａ）と部分拡大図（Ｂ）である。
【符号の説明】
【００５０】
１０    レンズ駆動装置
１２    アクチュエータ・ベース
１４    レンズホルダ
１４０    筒状部
１４２    雌ネジ
１６    駆動コイル
１８    永久磁石
１８２    永久磁石片
２０    ヨーク
２０２    外筒部
２２    上側板バネ（前側スプリング）
２２１    内周側端部（内輪）
２２２    外周側端部（外輪）
２２３    腕部（アーム部）
２２３ａ    内周側根本部
２２３ｂ    外周側根本部
２２４    内周側連結部
２２５    外周側連結部
２４    後側スプリング（下側板バネ）
２４１    内周側端部（内輪）
２４３    腕部（アーム部）
２６    ストッパ
２６２    コ字形の回転防止押さ部（回転防止部材）
Ｏ    光軸
【図１】
2009210055.tif 000003
【図２】
2009210055.tif 000004
【図３】
2009210055.tif 000005
【図４】
2009210055.tif 000006